(57)【特許請求の範囲】
【請求項１】
外装部の内側に有し、加熱室を内部に有する本体枠と、本体枠右側面下部に搭載されたマグネトロンと、前記マグネトロンを冷却するためのマグネトロン用ファンと、前記マグネトロンに電力を供給するマイクロ波発振回路を構成する部品が載置された回路基板と、前記回路基板に対し垂直に取付けられ、ＩＧＢＴおよびダイオードブリッジが上面に搭載された放熱フィンを有する部品搭載板と、前記回路基板上に載置された部品を冷却するための回路用ファンと、を備え、
前記回路用ファンおよび前記マグネトロン用ファンは、本体枠右側面後部の上下に搭載されると共に、前記回路用ファンから送られる風が前記部品載置板の上側を通り、また前記マグネトロン用ファンから送られる風が前記部品載置板の下側を通るよう搭載されることを特徴とする電子レンジ。
【発明の詳細な説明】
【０００１】
【発明の属する技術分野】
本発明は、電子レンジに関し、特に、電子レンジにおける各種動作の安定に関する。
【０００２】
【従来の技術および発明が解決しようとする課題】
従来の電子レンジには、マグネトロン等、電力を供給されることにより動作を実行する部材が数多く含まれている。そして、電子レンジには、これらの部材に電力を供給するための回路も、含まれている。
【０００３】
なお、マグネトロンは、動作を実行することにより、高温に達することがあった。また、マグネトロンの動作には、高電圧が要求されるため、該マグネトロンに電力を供給するための回路（電力供給回路）は、高電圧を扱うことになる。このことから、電力供給回路も、マグネトロンの動作に伴って、高温に達することがある。
【０００４】
回路部品は、一般に、高温に達すると、その動作が安定しなくなる場合が多い。そして、従来から、電子レンジにおいて、電子レンジ自体の動作を安定させるために、電力供給回路を、より確実に冷却することが、常に望まれていた。
【０００８】
本発明は、かかる実情に鑑み考え出されたものであり、その目的は、安定して動作する電子レンジを提供することである。
【０００９】
【課題を解決するための手段】
本発明のある局面に従った電子レンジは、外装部の内側に有し、加熱室を内部に有する本体枠と、本体枠右側面下部に搭載されたマグネトロンと、前記マグネトロンを冷却するためのマグネトロン用ファンと、前記マグネトロンに電力を供給するマイクロ波発振回路を構成する部品が載置された回路基板と、前記回路基板に対し垂直に取付けられ、ＩＧＢＴおよびダイオードブリッジが上面に搭載された放熱フィンを有する部品搭載板と、前記回路基板上に載置された部品を冷却するための回路用ファンと、を備え、前記回路用ファンおよび前記マグネトロン用ファンは、本体枠右側面後部の上下に搭載されると共に、前記回路用ファンから送られる風が前記部品載置板の上側を通り、また前記マグネトロン用ファンから送られる風が前記部品載置板の下側を通るよう搭載されることを特徴とする。
【００１０】
本発明によると、部品搭載板に搭載された部品に、回路用ファンから送られる風を確実にあてることができ、かつ、マグネトロンに、マグネトロン用ファンから送られる風を確実にあてることができる。
【００１１】
したがって、電子レンジにおいて、マイクロ波発振回路の動作を安定させることができる。
【００１２】
【発明の実施の形態】
以下に、本発明の実施の形態を、図面を参照しつつ説明する。
【００１３】
図１は、本発明の一実施の形態の電子レンジの斜視図である。
図１を参照して、電子レンジ１は、主に、本体２と、ドア３とからなる。本体２は、その外郭を、外装部４に覆われている。また、本体２の前面には、ユーザが、電子レンジ１に各種の情報を入力するための操作パネル６が備えられている。操作パネル６は、種々の情報を表示できる表示部６０を備えている。なお、本体２は、複数の脚８に支持されている。
【００１４】
ドア３は、下端を軸として、開閉可能に構成されている。ドア３の上部には、把手３ａが備えられている。図２に、ドア３が開状態とされたときの電子レンジ１を左前方より見た、電子レンジ１の部分的な斜視図を示す。
【００１５】
外装部４の内側には、本体枠（後述する本体枠５）が備えられている。本体枠は、前方に、前面板５０を備えている。そして、本体枠には、その内部に、加熱室１０が設けられている。加熱室１０の右側面上部には、孔１０ａが形成されている。孔１０ａには、加熱室１０の外側から、検出経路部材４０の一端が接続されている。また、加熱室１０の右側面には、吸気孔１０ｂが形成されている。吸気孔１０ｂは、複数の小孔から構成されている。加熱室１０は、吸気孔１０ｂを介して、その外部から風が導入される。
【００１６】
加熱室１０の底面には、底板９が配置されている。底板９の外周は、シリコン９９により、封止されている。
【００１７】
図３は、電子レンジ１の、外装部４を外した状態での、右側面図である。また、図４は、部分的に外装部４を省略した、電子レンジ１の、背面図である。
【００１８】
本体枠５の右側面の下部には、マグネトロン１２が搭載されている。マグネトロン１２の下端は、導波管１９の右端に接続されている。導波管１９の左端は、加熱室１０に接続されている。これにより、マグネトロン１２の発振したマイクロ波は、導波管１９を介して、加熱室１０内に供給される。
【００１９】
また、本体枠５の右側面の後部には、上下に、２つのファンが搭載されている。上のファンは、回路用ファン３５０であり、下のファンが、マグネトロン用ファン３１０である。回路用ファン３５０は、後述する回路ファンモータ３５が駆動することにより、回転するファンであり、回路基板８１上に載置された部品を冷却するために設けられている。マグネトロン用ファン３１０は、マグネトロンファンモータ３１が駆動することにより回転するファンであり、マグネトロン１２を冷却するために設けられている。なお、図４では、回路用ファン３５０およびマグネトロン用ファン３１０より前方にある部材の構成を説明するため、これらの２つのファンを破線で示している。
【００２０】
電子レンジ１には、マグネトロン用ファン３１０に対向するように、３つの風路が備えられている。３つの風路とは、マグネトロン用風路１２０と、加熱室用風路４１と、センサ用風路４２である。これらの３つの風路の一端には、それぞれ、マグネトロン用ファン３１０に対向する開口（開口１２０ａ，４１ａ，４２ａ）が備えられている。
【００２１】
マグネトロン用風路１２０の他端は、マグネトロン１２に接続されている。これにより、マグネトロン用ファン３１０から送られる風の一部は、マグネトロン１２に導かれる。
【００２２】
加熱室用風路４１の他端は、吸気孔１０ｂに接続されている。これにより、マグネトロン用ファン３１０から送られる風の一部は、加熱室１０内に導かれる。
【００２３】
一方、検出経路部材４０の他端には、赤外線センサ７が取付けられている。赤外線センサ７は、加熱室１０内に視野を有し、加熱室１０内の食品の温度を検出することができる。なお、赤外線センサ７の視野は、所定の部材により、移動可能である。
【００２４】
そして、センサ用風路４２の他端は、赤外線センサ７の下部に位置している。これにより、マグネトロン用ファン３１０から送られる風の一部は、赤外線センサ７付近に導かれる。これにより、赤外線センサ７において、赤外線をキャッチする窓が曇ることを回避できる。
【００２５】
本体枠５上であって、加熱室１０の天面の裏側には、板状のヒータ１３が設けられている。これにより、電子レンジ１は、マイクロ波による加熱および輻射熱による加熱を行なうことができる。
【００２６】
また、電子レンジ１は、操作パネル６の裏側に、プリント基板８０を備えている。
【００２７】
図５（ａ）は、回路基板８１の左側面図であり、図５（ｂ）は、回路基板８１の平面図である。
【００２８】
回路基板８１には、トランス８１０と、高圧ダイオード８１１，８１２と、部品搭載板８２が搭載されている。なお、部品搭載板８２は、回路基板８１に対して垂直に取付けられた板であり、その上下面には、放熱用のフィン８２ａが複数取付けられ、その上面には、ＩＧＢＴ（insulator gate bipolar transistor）８１３およびダイオードブリッジ８１４が搭載されている。回路基板８１に搭載されている部品は、後述するマイクロ波発振回路（図６におけるマイクロ波発振回路３３）を構成する部品である。マイクロ波発振回路３３とは、マグネトロン１２に、インバータ方式で電力を供給するための回路である。
【００２９】
回路基板８１は、本体枠５の右側面に、トランス８１０等の部品が取付られている面を加熱室１０側に対向させるように、取付けられている。そして、部品搭載板８２は、回路用ファン３５０の下端と、ほぼ同じ高さに位置している。これにより、回路用ファン３５０から送られる風は、部品搭載板８２の上側を通って、回路基板８１上の部品に導かれる。一方、マグネトロン用ファン３１０から送られる風は、部品搭載板８２の下側を通って、開口１２０ａ，４１ａ，４２ａ付近に導かれる。なお、回路用ファン３５０から送られる風は、回路基板８１上の部品に導かれた後、本体枠５の上部であって、加熱室１０の天面の裏側に送られる。これにより、電子レンジ１の本体２の上面が危険な高温となることを回避できる。
【００３０】
図６に、電子レンジ１の制御ブロック図を示す。電子レンジ１は、当該電子レンジ１の動作を全体的に制御する制御回路３０を備えている。制御回路３０は、マイクロコンピュータを含む。
【００３１】
制御回路３０は、操作パネル６，赤外線センサ７から種々の情報を入力される。そして、制御回路３０は、該入力された情報等に基づいて、マグネトロンファンモータ３１，庫内灯３２，マイクロ波発振回路３３，ヒータ１３，回路ファンモータ３５，表示部６０の動作を制御する。庫内灯３２は、加熱室１０内を照らす電灯である。
【００３２】
庫内灯３２は、加熱室１０において、マグネトロン１２やヒータ１３により調理が行なわれる際に、点灯される。なお、電子レンジ１は、庫内灯３２の点灯のタイミングと、マグネトロンファンモータ３１の動作のタイミングとの関係に、特徴を有する。ここで、この特徴を、図７を参照しつつ説明する。図７は、電子レンジ１における動作のタイミングチャートである。
【００３３】
図７には、４種類の要素の、ＯＮ／ＯＦＦのタイミングが示されている。なお、これらのＯＮ／ＯＦＦの切換えは、制御回路３０によって行なわれる。
【００３４】
図７において、一番上に「電源」とあるのは、制御回路３０に電力が供給されているか否かを示すものである。次に「スタートキー」とあるのは、マグネトロン１２による加熱を開始させるための、操作パネル６上に設けられたスタートキーの状態を示すものである。次に、「マグネトロン，庫内灯および表示部発光体」とあるのは、マグネトロン１２、庫内灯３２および表示部６０に使用される発光体の動作の状態を示すものである。庫内灯３２および上記の発光体は、マグネトロン１２が加熱動作を実行する際に点灯するため、マグネトロン１２と同時に動作する。次に、「マグネトロンファンモータ」とあるのは、マグネトロンファンモータ３１の動作の状態を示すものである。
【００３５】
図７を参照して、制御回路３０に電力が供給されている状態で、スタートキーが押圧（ＯＮ）されると、マグネトロンファンモータ３１の動作が開始される。そして、マグネトロンファンモータ３１の動作が開始された後で、マグネトロン１２の動作が開始され、庫内灯３２が点灯される。そして、マグネトロン１２による加熱動作が終了すると同時に、庫内灯３２が消灯され、マグネトロンファンモータ３１の動作が停止される。
【００３６】
図７に示すように、スタートキーが押圧されたとき、マグネトロンファンモータ３１の動作が開始された後で、庫内灯３２が点灯されることにより、庫内灯３２の明るさが、マグネトロンファンモータ３１の動作開始によって一時的に暗くなることを回避できる。マグネトロンファンモータ３１は、その動作開始時に、比較的、電力消費量が多くなるからである。
【００３７】
なお、スタートキーが押圧された際に、マグネトロンファンモータ３１の動作開始と同時に、マグネトロン１２の動作を開始し、かつ、庫内灯３２を点灯させてもよい。
【００３８】
また、表示部６０の表示にも所定の発光体が使用される。そして、表示部６０に使用される発光体も、庫内灯３２と同様に、マグネトロンファンモータ３１の動作開始と同時、または、動作開始より後に、表示動作を開始することが好ましい。
【００３９】
また、図８に、図７のタイミングチャートの変形例を示す。図８に示すタイミングチャートでは、スタートキーの押圧のタイミングに対するマグネトロン１２および庫内灯３２の動作のタイミングは、図７から変更されていない。ただし、マグネトロンファンモータ３１が、制御回路３０に電力が供給されているときに常に動作している点が、図７の例と異なっている。
【００４０】
つまり、図８に示す例では、制御回路３０への電力の供給が開始されるのと同時に、マグネトロンファンモータ３１の動作が開始されている。これにより、より確実に、庫内灯３２の明るさが、マグネトロンファンモータ３１の動作開始によって一時的に暗くなることを回避できる。
【００４１】
以上説明した本実施の形態では、マグネトロン１２による加熱調理時の、庫内灯３２の点灯態様を説明した。なお、回路ファンモータ３５の動作のＯＮ／ＯＦＦのタイミングは、マグネトロンファンモータ３１のＯＮ／ＯＦＦのタイミングと同様にしてもよい。
【００４２】
また、ヒータ１３による加熱調理が行なわれる場合には、マグネトロン用ファン３１０を回転させる必要はない。この場合、マグネトロン１２の冷却の必要がないからである。また、この場合、加熱室１０内に風が送られないため、オーブン調理等において、加熱室１０の温度が低下することを回避できる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の一実施の形態である電子レンジの斜視図である。
【図２】  図１の電子レンジのドアが開状態とされた状態の斜視図である。
【図３】  図１の電子レンジの、外装部が外された状態での、右側面図である。
【図４】  図１の電子レンジの、外装部を一部省略された、背面図である。
【図５】  図１の電子レンジの、回路基板を示す図である。
【図６】  図１の電子レンジの制御ブロック図である。
【図７】  図１の電子レンジの制御の際の、タイミングチャートである。
【図８】  図７の変形例のタイミングチャートである。
【符号の説明】
１  電子レンジ、６  操作パネル、７  赤外線センサ、１０  加熱室、１２  マグネトロン、３０  制御回路、３１  マグネトロンファンモータ、３３  マイクロ波発振回路、３５  回路ファンモータ、４１  加熱室用風路、４２  センサ用風路、８２  部品搭載板、１２０  マグネトロン用風路、３１０  マグネトロン用ファン、３５０  回路用ファン。
【図１】
0003676171.tif 000002
【図２】
0003676171.tif 000003
【図３】
0003676171.tif 000004
【図４】
0003676171.tif 000005
【図５】
0003676171.tif 000006
【図６】
0003676171.tif 000007
【図７】
0003676171.tif 000008
【図８】
0003676171.tif 000009